(57)【要約】【課題】デジタル／アナログ放送受像機において、チャンネルアップ／ダウンキーの操作に基づいて、効率良くチャンネルが選局できるようにする。【解決手段】本発明においては、ＡＴＳＣ放送に含まれるＶＣＴ及びＥＩＴを基に、各チャンネルが放送中であるか否かを示すチャンネルマップ４０を作成し、チャンネル増減予定情報に基づいてチャンネルマップ４０を更新する。そして、ユーザによりチャンネルアップ／ダウンキーが操作された際には、チャンネルマップ４０を利用して、図中の○印で示される放送中のチャンネルのみを選局するようにしたことにより、チャンネルを迅速に切り替えることができる。【選択図】      図２
2004364216.tif 000002
【特許請求の範囲】
【請求項１】
複数のテレビ番組の映像情報を、これらのテレビ番組を放送するチャンネルとこれらのチャンネルに固有に付与されるＳｏｕｒｃｅＩＤとの対応関係を示すＶＣＴ（Ｖｉｒｔｕａｌ  Ｃｈａｎｎｅｌ  Ｔａｂｌｅ）情報、及び前記テレビ番組毎の番組情報と前記ＳｏｕｒｃｅＩＤとの対応関係を示すＥＩＴ（Ｅｖｅｎｔ  Ｉｎｆｏｒｍａｔｉｏｎ  Ｔａｂｌｅ）情報と共に配信するＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送信号を受信する受信手段と、
前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、
前記抽出されたＶＣＴ情報及びＥＩＴ情報に基づいて、前記各チャンネルが放送中であるか否かの情報を格納したチャンネルマップを作成するチャンネルマップ作成手段と、
ユーザが所望するチャンネルを、チャンネルアップ／ダウンキーを用いて選局操作する操作手段と、前記ユーザによるチャンネルアップ／ダウンキーの操作に基づいて、チャンネルの選局動作を制御する制御手段とを備えたデジタル／アナログ放送受像機において、
テレビ放送の受信中に、前記ＶＣＴ情報及び前記ＥＩＴ情報を基にチャンネルの増減予定を解析し、この解析結果であるチャンネルの増減予定情報を記憶するチャンネル増減予定記憶手段と、
前記チャンネル増減予定記録手段により記録されたチャンネル増減予定情報に基づいて、チャンネルの増減予定時刻に前記チャンネルマップの更新を行うチャンネルマップ更新手段とをさらに備え、
前記制御手段は、前記操作手段によるチャンネルアップ／ダウンキーの操作を検知すると、予め定められた所定の順序に従って、その時点でチャンネルマップに登録されているチャンネルを選局し、前記選局されたチャンネルが放送されていない場合には、その旨を前記テレビモニタに出力すると共に、チャンネルマップを更新して、更新後のチャンネルマップに登録されている次のチャンネルを選局することを特徴とするデジタル／アナログ放送受像機。
【請求項２】
複数のテレビ番組の映像情報を、これらのテレビ番組を放送するチャンネルとこれらのチャンネルに固有に付与されるＳｏｕｒｃｅＩＤとの対応関係を示すＶＣＴ（Ｖｉｒｔｕａｌ  Ｃｈａｎｎｅｌ  Ｔａｂｌｅ）情報、及び前記テレビ番組毎の番組情報と前記ＳｏｕｒｃｅＩＤとの対応関係を示すＥＩＴ（Ｅｖｅｎｔ  Ｉｎｆｏｒｍａｔｉｏｎ  Ｔａｂｌｅ）情報と共に配信するＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送信号を受信する受信手段と、
前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、
前記抽出されたＶＣＴ情報及びＥＩＴ情報に基づいて、前記各チャンネルが放送中であるか否かの情報を格納したチャンネルマップを作成するチャンネルマップ作成手段と、
ユーザが所望するチャンネルを、チャンネルアップ／ダウンキーを用いて選局操作する操作手段と、前記ユーザによるチャンネルアップ／ダウンキーの操作に基づいて、チャンネルの選局動作を制御する制御手段とを備えたデジタル／アナログ放送受像機において、
テレビ放送の受信中に、前記ＶＣＴ情報及び前記ＥＩＴ情報を基にチャンネルの増減予定を解析し、この解析結果であるチャンネルの増減予定情報を記憶するチャンネル増減予定記憶手段と、
前記チャンネル増減予定記録手段により記録されたチャンネル増減予定情報に基づいて、チャンネルの増減予定時刻に前記チャンネルマップの更新を行うチャンネルマップ更新手段とをさらに備え、
前記制御手段は、前記操作手段によるチャンネルアップ／ダウンキーの操作を検知すると、予め定められた所定の順序に従って、その時点でチャンネルマップに登録されているチャンネルを選局することを特徴とするデジタル／アナログ放送受像機。
【請求項３】
前記制御手段は、前記選局されたチャンネルが放送されていない場合に、自動的に次のチャンネルを選局する請求項２に記載のデジタル／アナログ放送受像機。
【発明の詳細な説明】
【０００１】
【発明の属する技術分野】
本発明は、テレビ放送信号を受信するデジタル／アナログ放送受像機に関するものである。
【０００２】
【従来の技術】
近年、デジタル技術の発達により、デジタルテレビ放送が配信され、急速に普及しつつある。デジタルテレビ放送では、放送局から、１つの周波数帯域において、複数のテレビ番組が配信される。これは、複数のテレビ番組の映像や音声をデジタル圧縮技術により圧縮符号化した後、時分割多重化し、その信号を所定周波数帯域の高周波電波に変調し、その信号をテレビ放送信号として配信することで行われる。また、デジタルテレビ放送では、放送番組やその放送チャンネル等の電子番組情報を、所定時間毎にテレビ番組の映像や音声と共に時分割多重化して配信している。デジタルテレビ放送では、複数のテレビ番組の放送信号を多重化した所定周波数帯域のテレビ放送信号を物理チャンネルと呼び、その周波数帯域に多重化される個々のテレビ番組の放送信号をサブチャンネルと呼んでいる。
【０００３】
一方、デジタルテレビ放送を受信する放送受像機は、ユーザがリモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声、電子番組情報等の信号が時分割多重化された状態の信号を得ることができる。この信号は、トランスポートストリーム信号と呼ばれる。
【０００４】
そして、上記の放送受像機は、このトランスポートストリーム信号からサブチャンネルに対応するテレビ放送の映像信号や音声信号を分離抽出し、その映像信号や音声信号を圧縮符号化される前の状態に復号してテレビモニタへ出力する。また、上記の放送受像機は、トランスポートストリーム信号から電子番組情報を抽出する。
【０００５】
北米においては、上記のようなデジタルテレビ放送の一種であるＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）と呼ばれる放送が配信されている。ＡＴＳＣ放送は、各々の物理チャンネルにおいて、その物理チャンネルで放送中の複数のテレビ番組の映像及や音声と共に、ＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）と呼ばれるテレビ放送に関する様々なデータを含んだ情報を多重化する方法により配信されている。ＰＳＩＰは、さらに、ＶＣＴ（Ｖｉｒｔｕａｌ  Ｃｈａｎｎｅｌ  Ｔａｂｌｅ）及びＥＩＴ（Ｅｖｅｎｔ  Ｉｎｆｏｒｍａｔｉｏｎ  Ｔａｂｌｅ）と呼ばれる電子番組情報を含んでいる。
【０００６】
ＶＣＴは、現在放送中のテレビ番組に関して、テレビ番組を放送しているチャンネル番号の情報と、サブチャンネルと１対１に関連付けされるＳｏｕｒｃｅＩＤとを含んでおり、現在放送中の個々のテレビ番組におけるチャンネル番号とＳｏｕｒｃｅＩＤとの対応関係を示す情報である。ＥＩＴは、現在放送中及び今後放送予定のテレビ番組に関して、番組名、番組の放送開始及び終了時間等の番組情報と、ＳｏｕｒｃｅＩＤとを含んでおり、現在放送中及び今後放送予定の個々のテレビ番組における番組情報とＳｏｕｒｃｅＩＤとの対応関係を示す情報である。
【０００７】
なお、上述したように、ＥＩＴは、番組名や番組の放送開始及び終了時間等の番組情報とＳｏｕｒｃｅＩＤとを含んでいるが、テレビ番組が放送されるチャンネルの情報を含んでおらず、一方、ＶＣＴは、テレビ番組が放送されているチャンネルの情報とそのＳｏｕｒｃｅＩＤを含んでいるが、番組名や番組の放送開始及び終了時間等の番組情報を含んでいない。このため、テレビ番組の番組名や放送時間とその放送チャンネルとの対応付けは、ＥＩＴとＶＣＴの双方に含まれるＳｏｕｒｃｅＩＤを基に行っている。
【０００８】
ところで、従来のアナログ放送受像機において、チャンネルの選局の際にチャンネルアップ／ダウンキーを利用して１チャンネル毎に選局しながら、視聴したいチャンネルの選択が行える放送受像機が知られており、デジタル放送受像機においても、同様にチャンネルアップ／ダウンキーを利用してチャンネルの選択を行うことが考えられる。しかしながら、デジタル放送においては、アナログ放送に比べてチャンネル数が多いため、放送していないチャンネルまで選局してしまうと所望するチャンネルを迅速に選択することができない。
【０００９】
一方、トランスポートストリーム信号から放送されている全ての物理チャンネルの電子番組情報を取得してメモリに記憶し、チャンネルアップ／ダウンキーの操作に応じて、メモリに書き込まれた情報に基づき、所定条件に合致する進行状態のチャンネルを検索し、条件に合致するチャンネルの番組を選択表示する受信装置及び受信方法が知られている（例えば、特許文献１参照）。
【００１０】
【特許文献１】
特開２００１−１７７７７８号公報
【００１１】
【発明が解決しようとする課題】
ところが、上記特許文献１に記載の発明は、ＡＴＳＣ放送信号の受信装置のように、放送信号中のトランスポートストリーム信号が受信中の物理チャンネルに関する電子番組情報しか含まない放送信号を受信する受信装置について、チャンネルアップ／ダウンキーによる選局方法等を開示したものではない。
【００１２】
本発明は、上記課題を解決するためになされたものであり、チャンネルアップ／ダウンキーによるチャンネルの選局の際に、放送されていないサブチャンネルが選局されないようにして、ユーザの使い勝手を向上させることが可能なデジタル／アナログ放送受像機を提供することを目的とする。
【００１３】
【課題を解決するための手段】
上記目的を達成するために請求項１の発明は、複数のテレビ番組の映像情報を、これらのテレビ番組を放送するチャンネルとこれらのチャンネルに固有に付与されるＳｏｕｒｃｅＩＤとの対応関係を示すＶＣＴ（Ｖｉｒｔｕａｌ  Ｃｈａｎｎｅｌ  Ｔａｂｌｅ）情報、及び前記テレビ番組毎の番組情報と前記ＳｏｕｒｃｅＩＤとの対応関係を示すＥＩＴ（Ｅｖｅｎｔ  Ｉｎｆｏｒｍａｔｉｏｎ  Ｔａｂｌｅ）情報と共に配信するＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて、前記各チャンネルが放送中であるか否かの情報を格納したチャンネルマップを作成するチャンネルマップ作成手段と、ユーザが所望するチャンネルを、チャンネルアップ／ダウンキーを用いて選局操作する操作手段と、前記ユーザによるチャンネルアップ／ダウンキーの操作に基づいて、チャンネルの選局動作を制御する制御手段とを備えたデジタル／アナログ放送受像機において、テレビ放送の受信中に、前記ＶＣＴ情報及び前記ＥＩＴ情報を基にチャンネルの増減予定を解析し、この解析結果であるチャンネルの増減予定情報を記憶するチャンネル増減予定記憶手段と、前記チャンネル増減予定記録手段により記録されたチャンネル増減予定情報に基づいて、チャンネルの増減予定時刻に前記チャンネルマップの更新を行うチャンネルマップ更新手段とをさらに備え、前記制御手段は、前記操作手段によるチャンネルアップ／ダウンキーの操作を検知すると、予め定められた所定の順序に従って、その時点でチャンネルマップに登録されているチャンネルを選局し、前記選局されたチャンネルが放送されていない場合には、その旨を前記テレビモニタに出力すると共に、更新後のチャンネルマップを更新して、チャンネルマップに登録されている次のチャンネルを選局するものである。
【００１４】
この構成においては、ＶＣＴ情報及びＥＩＴ情報に基づいてチャンネルマップが作成された後、チャンネル増減予定情報に基づいて、番組の放送が終了したチャンネルはチャンネルマップから削除され、新たに放送が開始されたチャンネルはチャンネルマップに追加されて、チャンネルマップの更新がなされる。そして、チャンネルアップ／ダウンキー操作が行われた際に、その時点でチャンネルマップに番組放送中として登録されているチャンネルを順次選局するようにした。これにより、チャンネルアップ／ダウンキーの操作が行われた時に、必ずしも各チャンネルのＥＣＴ情報及びＶＣＴ情報を取得する必要がない。なお、ＡＴＳＣ放送においては、物理チャンネル毎にＰＳＩＰが配信されるため、物理チャンネル毎にＶＣＴ情報及びＥＩＴ情報を取得してチャンネルマップ及び、チャンネル増減予定情報を記憶する。また、チャンネル増減予定情報とは、各番組が放送されるチャンネル番号と、各番組の開始及び終了時刻を少なくとも有するものである。
【００１５】
また、ＡＴＳＣ放送においては、物理チャンネル毎にＰＳＩＰが配信されるため、複数の物理チャンネルに渡ってチャンネルの切り替えが行われた場合、選局された物理チャンネルのチャンネル増減予定情報が最新のものではないために、現在のチャンネルマップに基づいて選局されたチャンネルが放送されていない場合があるが、その際、放送がされていない旨を、テレビモニタに表示すると共に、最新のＰＳＩＰに基づいてチャンネルマップ及びチャンネル増減予定情報を更新する。このとき、ユーザに不快感を与えないようにするため、選局されたチャンネルを直接テレビモニタには出力せず、音声もミュートにすることが好ましい。
【００１６】
また、ユーザのチャンネルアップ／ダウンキー操作に基づいて、チャンネルマップに登録されているチャンネルが選局された際に、選局されたチャンネルが放送されていない場合には自動的に次のチャンネルを選局するため、ユーザは、先の操作に続けてチャンネルアップ／ダウンキーを操作しなくても、直近の放送中のチャンネルを選局することができる。
【００１７】
また、請求項２の発明は、複数のテレビ番組の映像情報を、これらのテレビ番組を放送するチャンネルとこれらのチャンネルに固有に付与されるＳｏｕｒｃｅＩＤとの対応関係を示すＶＣＴ（Ｖｉｒｔｕａｌ  Ｃｈａｎｎｅｌ  Ｔａｂｌｅ）情報、及び前記テレビ番組毎の番組情報と前記ＳｏｕｒｃｅＩＤとの対応関係を示すＥＩＴ（Ｅｖｅｎｔ  Ｉｎｆｏｒｍａｔｉｏｎ  Ｔａｂｌｅ）情報と共に配信するＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送信号を受信する受信手段と、前記受信手段で受信したＡＴＳＣ放送信号から、前記テレビ番組の映像信号を再生してその映像信号を本装置に接続されるテレビモニタに出力すると共に、前記ＶＣＴ情報及びＥＩＴ情報を抽出するデコーダと、前記抽出されたＶＣＴ情報及びＥＩＴ情報に基づいて、前記各チャンネルが放送中であるか否かの情報を格納したチャンネルマップを作成するチャンネルマップ作成手段と、ユーザが所望するチャンネルを、チャンネルアップ／ダウンキーを用いて選局操作する操作手段と、前記ユーザによるチャンネルアップ／ダウンキーの操作に基づいて、チャンネルの選局動作を制御する制御手段とを備えたデジタル／アナログ放送受像機において、テレビ放送の受信中に、前記ＶＣＴ情報及び前記ＥＩＴ情報を基にチャンネルの増減予定を解析し、この解析結果であるチャンネルの増減予定情報を記憶するチャンネル増減予定記憶手段と、前記チャンネル増減予定記録手段により記録されたチャンネル増減予定情報に基づいて、チャンネルの増減予定時刻に前記チャンネルマップの更新を行うチャンネルマップ更新手段とをさらに備え、前記制御手段は、前記操作手段によるチャンネルアップ／ダウンキーの操作を検知すると、予め定められた所定の順序に従って、その時点でチャンネルマップに登録されているチャンネルを選局するものである。
【００１８】
この構成においては、チャンネルアップ／ダウンキー操作が行われた際に、制御手段がその時点でチャンネルマップに番組放送中として登録されているチャンネルを順次選局するため、放送されていないチャンネルを自動的にスキップすることができる。また、チャンネルの選局はチャンネルマップに基づいて行われるため、チャンネルアップ／ダウンキーの操作が行われた時に、必ずしも各チャンネルのＥＣＴ情報及びＶＣＴ情報を取得する必要がない。
【００１９】
また、請求項３の発明は、請求項２に記載のデジタル／アナログ放送受像機において、前記制御手段は、前記選局されたチャンネルが放送されていない場合に、自動的に次のチャンネルを選局するものである。
【００２０】
この構成においては、ユーザのチャンネルアップ／ダウンキー操作により選局されたチャンネルが放送されていない場合には、自動的に次のチャンネルが選局されるため、ユーザは、先の操作に続けてチャンネルアップ／ダウンキーを操作しなくても、直近の放送中のチャンネルを選局することができる。
【００２１】
【発明の実施の形態】
以下、本発明を具体化した第１の実施形態について図面を参照して説明する。図１は、本実施形態によるデジタル／アナログ放送受像機の電気的ブロック構成を示している。デジタル／アナログ放送受像機（ＳＴＢ：Ｓｅｔ−Ｔｏｐ  Ｂｏｘ）１には、放送局から所定周波数の高周波電波で発信されるテレビ放送信号を受信するためのアンテナ１１と、テレビ放送の映像を映し出すと共に音声を出力するテレビモニタ３０が接続される。
【００２２】
放送受像機１は、放送局から配信されるＡＴＳＣ放送信号等のデジタル放送信号やアナログ放送信号をアンテナ１１を介して受信し、これらのテレビ放送の映像及び音声を再生してテレビモニタ３０に出力する装置である。
【００２３】
放送受像機１は、リモコン２と、リモコン受信部３と、チューナ（受信手段）４と、デコーダ５と、ＯＳＤ回路６と、メモリ（チャンネル増減予定記憶手段）７と、制御部（制御手段、チャンネルマップ作成手段、チャンネルマップ更新手段）８とから構成されている。
【００２４】
リモコン２は、ユーザが視聴するテレビ番組を選局する際に、ユーザによるチャンネルアップ／ダウンキー（操作手段）２０の操作に応じた赤外線信号等の無線信号を送出する。リモコン受信部３は、リモコン２から送出された信号を受信し、制御部８へ出力する。チューナ４は、その受信周波数をリモコン２で選局操作されたチャンネル（ＡＴＳＣ放送においては物理チャンネル）に対応する周波数に同調させることにより、選局操作されたチャンネルのテレビ放送信号をアンテナ１１を介して受信する。
【００２５】
デコーダ５は、リモコン２によりＡＴＳＣ放送のチャンネルが選局された場合、チューナ４で受信した受信信号を復調して、デジタル圧縮符号化された複数のテレビ番組の映像と音声、及び電子番組情報等の信号が時分割多重化された状態のトランスポートストリーム信号を生成する。そして、デコーダ５は、このトランスポートストリーム信号から、リモコン２で選局されたサブチャンネルのテレビ番組の映像信号と音声信号を分離抽出し、それらの信号をデジタル圧縮符号化される前の信号に復号再生し、テレビモニタ３０へ出力する。また、デコーダ５は、トランスポートストリーム信号から、電子番組情報であるＶＣＴ情報とＥＩＴ情報を抽出し、制御部８へ出力する。
【００２６】
また、デコーダ５は、リモコン２によりアナログ放送のチャンネルが選局された場合、チューナ４で受信した受信信号を復調して、リモコン２で選局操作されたチャンネルのテレビ番組の映像信号と音声信号を再生し、その映像信号と音声信号をテレビモニタ３０へ出力する。
【００２７】
ＯＳＤ回路６は、ユーザのチャンネルアップ／ダウンキー２０の操作に基づいて選局されたチャンネルが放送されていない場合に、デコーダ５から出力される映像信号に、放送がされていない旨のメッセージをＯＳＤ表示するための信号を重ねて、テレビモニタ３０へ出力する。
【００２８】
メモリ７は、ＶＣＴ情報及びＥＩＴ情報に基づいて作成されたチャンネルマップ及びチャンネル増減予定情報を記憶する。メモリ７はＥＥＰＲＯＭから成っており、メモリ７に記憶されるチャンネルマップ及びチャンネル増減予定情報は、電源遮断時においても保存され、電源起動直後から利用され得る。
【００２９】
図２に示すように、メモリ７に記憶されるチャンネルマップ４０は、サブチャンネルテーブル４１と、仮想ＣＨテーブル４２と、ＡＴＳＣ登録テーブル４３等から構成されている。サブチャンネルテーブル４１は、２〜６９の範囲の物理チャンネルと、１〜９９の範囲のサブチャンネルに対応した複数の記憶エリア４５を有している。サブチャンネルテーブル４１内の各記憶エリア４５には、電子番組情報であるＥＩＴ及びＶＣＴから得られるＳｏｕｒｃｅＩＤが割り当てられ、チャンネル増減予定情報に基づいて、各時点における放送中のサブチャンネルが記憶される。図示の例では、サブチャンネル「１０−１」（仮想チャンネル「１０」（物理チャンネル「３」）−サブチャンネル「１」）、サブチャンネル「１０−２」等が現時点で放送中であることを示している。
【００３０】
なお、仮想ＣＨテーブル４２には、各物理チャンネルに対応して、ユーザが認識し使用するための仮想チャンネル番号が記憶されており、ＡＴＳＣ登録テーブル４３内における実際に放送されている物理チャンネルに対応したエリアには、該当のチャンネルが放送中であることを示すフラグが立てられている。
【００３１】
制御部８は、リモコン２によりＡＴＳＣ放送のチャンネルが選局されると、リモコン受信部３からの信号を受けて、選局された物理チャンネルのテレビ放送信号をチューナ４に受信させると共に、デコーダ５に選局されたサブチャンネルの映像信号と音声信号を分離抽出して復号再生させるように指示する。また、制御部８は、デコーダ５により抽出されたＥＩＴ及びＶＣＴを解析し、チャンネルマップ及びチャンネル増減予定情報を作成する。また、制御部８は、ＡＴＳＣ放送の受信中に各ＳｏｕｒｃｅＩＤの割当て及び電子番組情報の更新を実行して、メモリ７に記憶されているチャンネル増減予定情報を更新する。さらに、制御部８は、チャンネル増減予定情報に基づいたチャンネルマップ４０の更新も行う。
【００３２】
また、制御部８は、リモコン２によりアナログ放送のチャンネルが選局されると、リモコン受信部３からの信号を受けて、チューナ４に選局されたチャンネルのテレビ放送信号を受信させると共に、デコーダ５に映像信号と音声信号を復調再生させる。
【００３３】
次に、ユーザによりチャンネルアップ／ダウンキー２０が操作された際のデジタル／アナログ放送受像機１の動作について図２を参照して説明する。放送受像機１は、ユーザによりチャンネルアップ／ダウンキー２０を用いてチャンネルが選局されたときに、チャンネルマップ４０に基づいてサブチャンネルの選局を行う。図２のようにチャンネルマップ４０が登録されており、サブチャンネル「１０−１」を選局していたときにチャンネルアップキー２０が操作されると、サブチャンネル「１０−２」、サブチャンネル「２０−１」というように、サブチャンネルテーブル４１中の○印があるところを順番に選局する。なお、チャンネルダウンキー２０が操作されたときは上記と逆の順番で番組を選局する。この際、放送される番組数は時間と共に変化するので、チャンネルマップ４０が更新されないままでいると、既に放送が終了しているサブチャンネルが選局されてしまう事態が起こり得る。例えば、サブチャンネル「１０−２」が既に放送されていない場合、物理チャンネル「１０」が選局されるまで、サブチャンネル「１０−２」の放送が終了したことが分からないので、サブチャンネル「２０−１」を選局していたときにチャンネルダウンキー２０が操作されると、サブチャンネル「１０−２」が選局されてしまう。そこで、放送されていないサブチャンネルや放送の始まったサブチャンネルをチャンネル増減予定情報に基づいて自動的に削除・追加することで、チャンネルマップ４０を更新し、放送されていないサブチャンネルを選局しないようにする。
【００３４】
図３は、図２に示されるチャンネルマップ４０の状態から一定時間経過した後のチャンネルマップ４０の状態を示す図である。制御部８は、ＥＩＴ及びＶＣＴを解析し、チャンネル増減予定情報を作成して、現在放送中のサブチャンネルの放送終了時刻や現在放送していないサブチャンネルの放送開始時刻を得て、これらの時刻になると、チャンネル増減予定情報に基づきチャンネルマップ４０を更新する。図３においては、サブチャンネル「１０−２」の放送が終了した時点で、図中に「×」印で示すサブチャンネル「１０−２」の登録を削除し、サブチャンネル「２０−４」の放送が開始した時点でサブチャンネル「２０−４」の登録を追加する。このようにしてチャンネルマップ４０を更新することにより、サブチャンネル「２０−１」を選局していた際にチャンネルダウンキー２０を操作した場合、放送していないサブチャンネル「１０−２」を選局せずにサブチャンネル「１０−１」を選局することができ、サブチャンネル「２０−３」を選局していた際にチャンネルアップキー２０を操作した場合、放送されているサブチャンネル「２０−４」を選局することができる。
【００３５】
次に、ＥＩＴ及びＶＣＴからチャンネル増減予定情報を得る方法及びチャンネルマップ４０を更新する方法を図４及び図５を用いて説明する。物理チャンネル「３」のＡＴＳＣ放送受信中のある時点において、図４に示されるようなＥＩＴ５０−１乃至５０−８、及び図５に示されるようなＶＣＴ６０−１及び６０−２が得られたとする。これら８個のＥＩＴ５０−１乃至５０−８には、それぞれ異なるテレビ番組の番組情報（番組名、放送時間等）が含まれている。そして、ＥＩＴ５０−３とＥＩＴ５０−４は、現在放送中の番組に対する番組情報であったとする。また、ＥＩＴ５０−１、５０−３、５０−５、及び５０−７にはＳｏｕｒｃｅＩＤが「Ａ」であるという情報が、ＥＩＴ５０−２と５０−４にはＳｏｕｒｃｅＩＤが「Ｂ」であるという情報が、ＥＩＴ５０−６にはＳｏｕｒｃｅＩＤが「Ｄ」であるという情報が、ＥＩＴ５０−８にはＳｏｕｒｃｅＩＤが「Ｃ」であるという情報が格納されていたとする。
【００３６】
また、図５に示されるように、ＶＣＴ６０−１には、チャンネル「１０−１」（仮想チャンネル「１０」−サブチャンネル「１」）がＳｏｕｒｃｅＩＤ「Ａ」に対応しているという情報が格納されており、ＶＣＴ６０−２には、チャンネル「１０−２」（仮想チャンネル「１０」−サブチャンネル「２」）がＳｏｕｒｃｅＩＤ「Ｂ」に対応しているという情報が格納されていたとする。
【００３７】
ＥＩＴ５０−１乃至５０−８は、図４に示されるように、チャンネル番号の情報を直接持たない。しかし、図５に示されるように、ＶＣＴ６０−１及び６０−２によってチャンネル番号とＳｏｕｒｃｅＩＤとの対応が分かるので、ＥＩＴがＶＣＴと同じ値のＳｏｕｒｃｅＩＤを持っていれば、そのＥＩＴに示されている番組がＶＣＴで示されているチャンネルの番組であることが分かる。これにより、ＥＩＴとＶＣＴとに基づいて現在放送中のサブチャンネルの放送終了時刻を計算し、そのチャンネル番号と放送終了時刻をチャンネル増減予定情報として記憶することができる。そして、放送終了時刻になったら、チャンネルマップ４０から放送の終わるチャンネルを削除する。図４及び図５の例では、サブチャンネル「１０−２」の終了時刻は１０：００なので、１０：００になった時点でサブチャンネル「１０−２」をチャンネルマップ４０から削除する。
【００３８】
また、ＳｏｕｒｃｅＩＤ「Ｄ」及びＳｏｕｒｃｅＩＤ「Ｃ」については、現在のＶＣＴ６０−１及び６０−２にはそのＳｏｕｒｃｅＩＤが存在しないので、過去のＶＣＴからもチャンネル番号が分からない場合には、ＳｏｕｒｃｅＩＤ「Ｄ」及びＳｏｕｒｃｅＩＤ「Ｃ」に仮のチャンネル番号を割り当ててチャンネル増減予定情報として記憶する。ＳｏｕｒｃｅＩＤに仮のチャンネル番号を割り当てる際には、図４及び図６に示されるように、放送開始時間の早い順、すなわち、ＳｏｕｒｃｅＩＤ「Ｄ」、ＳｏｕｒｃｅＩＤ「Ｃ」の順に、現在登録されていないサブチャンネル番号の中で、最小のサブチャンネル番号を割り当てる。そして、このチャンネル増減予定情報に基づいて、放送開始時刻になった時点で各サブチャンネルをチャンネルマップ４０に登録する。ＳｏｕｒｃｅＩＤ「Ｄ」及びＳｏｕｒｃｅＩＤ「Ｃ」に仮のチャンネル番号を割り当ててチャンネル増減予定情報として記憶した後に、物理チャンネル「３」（仮想チャンネル「１０」）が選局されて、ＶＣＴが更新されると、ＳｏｕｒｃｅＩＤ「Ｄ」及びＳｏｕｒｃｅＩＤ「Ｃ」にチャンネル番号を割り当て直し、ＶＣＴから得られるＳｏｕｒｃｅＩＤに対応するチャンネル番号が、上述した仮に割り当てたチャンネル番号と異なっている場合は、ＶＣＴに従いチャンネル番号を割り当て直す。
【００３９】
次に、ユーザによりチャンネルアップキー２０が操作された際のサブチャンネルの選局動作について図７を参照して説明する。制御部８は、チャンネルアップキー２０が操作されると、チャンネルマップ４０をメモリ７から読み出し（＃１）、チャンネルマップ４０に基づいて、昇順で現在選局されているサブチャンネルより一つ上のサブチャンネルを参照して（＃２）、参照されたサブチャンネルがチャンネルマップ４０に放送中として登録されているか否かを判断する（＃３）。参照されたサブチャンネルが放送中として登録されていなければ（＃３でＮＯ）、さらに、一つ上のサブチャンネルを参照し、放送中として登録されているサブチャンネルが検出されるまで、＃２及び＃３の処理を繰り返す。そして、放送中として登録されているサブチャンネルが検出された場合には（＃３でＹＥＳ）、そのサブチャンネルを選局し（＃４）、選局されたサブチャンネルの映像／音声信号をテレビモニタ３０に出力する（＃５）。
【００４０】
第１の実施形態によるデジタル／アナログ放送受像機１によれば、ユーザによりチャンネルアップ／ダウンキーが操作された際に、上記のようにサブチャンネルを選局するようにしたことにより、放送されていないサブチャンネルを選局しないようにして、ユーザの使い勝手を向上させることができる。
【００４１】
次に、第２の実施形態によるデジタル／アナログ放送受像機１について図８を参照して説明する。第２の実施形態による放送受像機１は、ユーザによりチャンネルアップキー２０が操作された際のチャンネルの選局動作が、第１の実施形態による放送受像機１とは異なる。放送受像機１の構成等は第１の実施形態と同様である。
【００４２】
制御部８は、チャンネルアップキー２０が操作されると、チャンネルマップ４０をメモリ７から読み出し（＃１１）、チャンネルマップ４０に基づいて、現在選局されているサブチャンネルより一つ上のサブチャンネルを参照して（＃１２）、参照されたサブチャンネルがチャンネルマップ４０に放送中として登録されているか否かを判断する（＃１３）。参照されたサブチャンネルが放送中として登録されていなければ（＃１３でＮＯ）、さらに、一つ上のサブチャンネルを参照し、放送中として登録されているサブチャンネルが検出されるまで、＃１２から＃１３の処理を繰り返す。そして、放送中として登録されているサブチャンネルが検出された場合には（＃１３でＹＥＳ）、そのサブチャンネルを選局し（＃１４）、そのサブチャンネルが現実に放送されているかどうかを判断する（＃１５）。このように、チャンネルマップ４０に基づいて選局したサブチャンネルが放送されていない場合があるのは、ＡＴＳＣ放送においては、物理チャンネル毎にＰＳＩＰが配信されるため、複数の物理チャンネルに渡ってチャンネルの切り替えが行われた場合、選局された物理チャンネルのチャンネル増減予定情報が最新のものではないことがあるからである。現実にサブチャンネルが放送されていない場合には（＃１５でＮＯ）、その旨をテレビモニタ３０に出力すると共に（＃１６）、新たに受信したテレビ放送信号に基づいて、ＥＩＴ及びＶＣＴを更新して、チャンネル増減予定情報及びチャンネルマップ４０を更新し（＃１７）、＃１２から＃１５の処理を繰り返す。現実に選局されたサブチャンネルが放送されている場合には（＃１５でＹＥＳ）、選局されたサブチャンネルの映像／音声信号をテレビモニタ３０に出力する（＃１８）。
【００４３】
第２の実施形態によるデジタル／アナログ放送受像機１によれば、ユーザによりチャンネルアップ／ダウンキーが操作された際に、上記のようにサブチャンネルを選局するようにしたことにより、放送されていないサブチャンネルを選局しないようにして、ユーザの使い勝手を向上させることができる。また、チャンネルマップに基づいて選局されたサブチャンネルが放送されていない場合には、放送がされていない旨をテレビモニタに表示すると共に、自動的にチャンネルマップ及びチャンネル増減予定情報を更新するため、ユーザの使い勝手をより向上させることができる。
【００４４】
【発明の効果】
以上説明したように請求項１の発明によれば、チャンネルアップ／ダウンキー操作が行われた際に、その時点でチャンネルマップに番組放送中として登録されているチャンネルを順次選局し、放送されていないチャンネルが選局された場合は、そのチャンネルが自動的にスキップされる。また、チャンネルの選局はチャンネルマップに基づいてされるため、チャンネルアップ／ダウンキーの操作が行われた時に、必ずしも各チャンネルのＥＣＴ情報及びＶＣＴ情報を取得する必要がない。このため、チャンネルアップ／ダウンキーを利用してチャンネルの選局がされた際に、迅速にチャンネルの切り替えを行うことができる。
【００４５】
また、ユーザのチャンネルアップ／ダウンキー操作に基づいて選局されたチャンネルが放送されていない場合には、放送がされていない旨をテレビモニタに表示すると共に、自動的にチャンネルマップ及びチャンネル増減予定情報を更新することができるので、ユーザの使い勝手を向上させることができる。
【００４６】
また、ユーザのチャンネルアップ／ダウンキー操作に基づいて選局されたチャンネルが放送されていない場合には、自動的に次のチャンネルを選局するため、ユーザは先の操作に続けてチャンネルアップ／ダウンキーを操作しなくても、直近の放送中のチャンネルを選局することが可能となり、ユーザの使い勝手を向上させることができる。
【００４７】
請求項２の発明によれば、チャンネルアップ／ダウンキーの操作時に、チャンネルマップを利用して、所望するチャンネルの選局がされるため、迅速にチャンネルを切り替えることができる。
【００４８】
請求項３の発明によれば、ユーザのチャンネルアップ／ダウンキー操作により選局されたチャンネルが放送されていない場合には、自動的に次のチャンネルを選局するようにしたので、ユーザの使い勝手を向上させることができる。
【図面の簡単な説明】
【図１】本発明の第１の実施形態によるデジタル／アナログ放送受像機の概略構成を示す電気的ブロック構成図。
【図２】同装置のチャンネルマップの説明図。
【図３】同装置のチャンネルマップの更新方法の説明図。
【図４】同装置において受信したＥＩＴの説明図。
【図５】同装置において受信したＶＣＴの説明図。
【図６】同装置におけるチャンネル番号とＳｏｕｒｃｅＩＤとの対応例を示す図。
【図７】同装置におけるチャンネルアップキーによる選局動作を示すフローチャート。
【図８】本発明の第２の実施形態によるデジタル／アナログ放送受像機におけるチャンネルアップキーによる選局動作を示すフローチャート。
【符号の説明】
１  デジタル／アナログ放送受像機
４  チューナ（受信手段）
５  デコーダ
７  メモリ（チャンネル増減予定記憶手段）
８  制御部（制御手段、チャンネルマップ作成手段、チャンネルマップ更新手段）
２０  チャンネルアップ／ダウンキー（操作手段）
３０  テレビモニタ
【図１】
2004364216.tif 000003
【図２】
2004364216.tif 000004
【図３】
2004364216.tif 000005
【図４】
2004364216.tif 000006
【図５】
2004364216.tif 000007
【図６】
2004364216.tif 000008
【図７】
2004364216.tif 000009
【図８】
2004364216.tif 000010